(57)【要約】【課題】照明カバーをキャビネットの所定位置に安定配置して、設置後の異音の発生や運搬搬入時の破損等を防止し得るミラーユニットの照明カバー取付構造を提供する。【解決手段】背板及び左右の側板を有するミラーキャビネットと、該ミラーキャビネットの前面開口部に取り付けられたミラーと、ミラーキャビネット内に配置された照明装置と、を備えたミラーユニットの照明カバー取付構造であって、ミラーキャビネットの照明装置近傍の背板及び又は側板に溝を形成し、該溝に照明装置の光を所定方向に透過させる照明カバーの外周端部が挿入係止されていることを特徴とする。また、前記溝の開口端がエッジ部材によって閉塞されると共に前記照明カバーが可撓性を有する。【選択図】  図５
2007296041.tif 000002
【特許請求の範囲】
【請求項１】
背板及び左右の側板を有するミラーキャビネットと、該ミラーキャビネットの前面開口部に取り付けられたミラーと、前記ミラーキャビネット内に配置された照明装置と、を備えたミラーユニットの照明カバー取付構造であって、
前記ミラーキャビネットの照明装置近傍の背板及び又は側板に溝を形成し、該溝に照明装置の光を所定方向に透過させる照明カバーの外周端部が挿入係止されていることを特徴とするミラーユニットの照明カバー取付構造。
【請求項２】
前記溝の開口端がエッジ部材によって閉塞されると共に、前記照明カバーが可撓性を有することを特徴とする請求項１に記載のミラーユニットの照明カバー取付構造。
【請求項３】
前記溝は、前記ミラーキャビネットの背板と左右の側板にそれぞれ形成されていることを特徴とする請求項１または２に記載のミラーユニットの照明カバー取付構造。
【請求項４】
前記照明装置がミラーキャビネットの下部に取り付けられ、前記照明カバーがミラーキャビネットの下端開口部に取り付けられて照明装置の光を下方に透過させることを特徴とする請求項１ないし３のいずれかに記載のミラーユニットの照明カバー取付構造。
【請求項５】
前記ミラーユニットは、洗面台と分割状態とされて洗面台の上方の壁面に所定の間隔を有して設置されると共に、前記ミラーがミラーキャビネットに開閉可能に配置されていることを特徴とする請求項１ないし４のいずれかに記載のミラーユニットの照明カバー取付構造。
【発明の詳細な説明】
【技術分野】
【０００１】
本発明は、例えば洗面台と分割状態で設置されるミラーユニットの照明カバー取付構造に関する。
【背景技術】
【０００２】
従来、分割型のミラーユニットの下端開口部に下方に向けて照明する照明装置を取り付ける場合、背板や左右の側板からなるミラーキャビネットの下部に蛍光灯等の照明装置を取り付け、この照明装置の下方に透過性の照明カバーが配置されている。この時、照明カバーは、背板や側板に固定したカバー受けとしてのＬ型金具上に載置することによってミラーキャビネットに取り付けられている。なお、照明装置のカバー取付構造に関する公報としては、例えば特許文献１が知られている。
【特許文献１】特開２００２−３５８８０９号公報
【発明の開示】
【発明が解決しようとする課題】
【０００３】
しかしながら、このようなカバー取付構造においては、照明カバーがＬ型金具上に単に載置状態で配置されているため、ミラーユニットを洗面台上方の壁面に設置した後に、ドライヤー等によるミラーユニット近傍の空気の流れや室外から侵入する風等により照明カバーが振動して異音が発生したり、ミラーユニットの設置場所への運搬搬入時に照明カバーがＬ型金具上を移動して外れる等して破損する虞がある。
【０００４】
本発明は、このような事情に鑑みてなされたもので、その目的は、照明カバーをキャビネットの所定位置に安定配置して、設置後の異音の発生や運搬搬入時の破損等を防止し得るミラーユニットの照明カバー取付構造を提供することにある。
【課題を解決するための手段】
【０００５】
かかる目的を達成すべく、本発明のうち請求項１に記載の発明は、背板及び左右の側板を有するミラーキャビネットと、該ミラーキャビネットの前面開口部に取り付けられたミラーと、前記ミラーキャビネット内に配置された照明装置と、を備えたミラーユニットの照明カバー取付構造であって、前記ミラーキャビネットの照明装置近傍の背板及び又は側板に溝を形成し、該溝に照明装置の光を所定方向に透過させる照明カバーの外周端部が挿入係止されていることを特徴とする。
【０００６】
そして、請求項２に記載の発明のように、前記溝の開口端がエッジ部材によって閉塞されると共に、前記照明カバーが可撓性を有することが好ましく、また、前記溝は、請求項３に記載の発明のように、前記ミラーキャビネットの背板と左右の側板にそれぞれ形成されていることが好ましい。さらに、請求項４に記載の発明のように、前記照明装置がミラーキャビネットの下部に取り付けられ、前記照明カバーがミラーキャビネットの下端開口部に取り付けられて照明装置の光を下方に透過させることが好ましい。また、前記ミラーユニットは、請求項５に記載の発明のように、洗面台と分割状態とされて洗面台の上方の壁面に所定の間隔を有して設置されると共に、前記ミラーがミラーキャビネットに開閉可能に配置されていることが好ましい。
【発明の効果】
【０００７】
本発明のうち請求項１に記載の発明によれば、ミラーキャビネットの照明装置近傍の背板及び又は側板に溝を形成し、この溝に照明装置の光を所定方向に透過させる照明カバーの外周端部が挿入係止されているため、溝によって照明カバーをキャビネットの所定位置に安定配置することができて、ミラーユニット設置後の照明カバーの振動による異音の発生や運搬搬入時の照明カバーの破損等を防止することができる。
【０００８】
また、請求項２に記載の発明によれば、請求項１に記載の発明の効果に加え、溝の開口端がエッジ部材によって閉塞されると共に照明カバーが可撓性を有するため、エッジ部材により照明カバーの前方への移動を阻止して外れ等を確実に防止できると共に、照明カバーの可撓性を利用して溝への挿入係止作業を簡単かつ良好に行うことができる。
【０００９】
また、請求項３に記載の発明によれば、請求項１または２に記載の発明の効果に加え、溝がミラーキャビネットの背板と左右の側板にそれぞれ形成されて平面視略扁平コ字状を呈するため、照明カバーの外周３辺を溝に挿入係止できて、照明カバーの配置状態を一層安定させることができる。
【００１０】
さらに、請求項４に記載の発明によれば、請求項１ないし３に記載の発明の効果に加え、照明装置がミラーキャビネットの下部に取り付けられ、照明カバーがミラーキャビネットの下端開口部に取り付けられて照明装置の光を下方に透過させるため、照明装置の光をキャビネットの下端開口部から下方に透過できて、例えばミラーユニットの下方に配置される水栓器具等の手元照明を良好に得ることができる。
【００１１】
また、請求項５に記載の発明によれば、請求項１ないし４に記載の発明の効果に加え、ミラーユニットが洗面台と分割状態とされて洗面台の上方の壁面に所定の間隔を有して設置されると共に、ミラーがミラーキャビネットに開閉可能に配置されているため、分割型の背面化粧台を容易に形成して、ミラーユニットの設置の汎用性を高めることができると共に、開閉可能なミラーによりミラーユニットの使い勝手を一層向上させることができる。
【発明を実施するための最良の形態】
【００１２】
以下、本発明の実施の形態を図面に基づいて詳細に説明する。
図１〜図５は、本発明に係わる照明カバー取付構造を採用したミラーユニットの一実施形態を示し、図１がその設置状態の正面図、図２がその側面図、図３がミラーユニットの正面図、図４がその側面図、図５がその横断面図である。
【００１３】
図１及び図２に示すように、ミラーユニット１は、洗面台２と分割状態で形成されると共に、外形形状が長方形状の薄型に形成されて、その下端が洗面台２のカウンター３上面から所定間隔ｈを有して洗面台２上方の壁面４に設置されている。そして、このミラーユニット１は、図３〜図５に示すように、背板５ａと左右の側板５ｂ等により形成されたミラーキャビネット５と、このミラーキャビネット５の前面開口部に開閉可能に配置されたミラー６と、ミラーキャビネット５の下部と上部に配置された下部照明装置７及び上部照明装置８等で構成されている。
【００１４】
前記下部照明装置７は、ミラーキャビネット５の下部に水平状態で配置された底板５ｃ下面に固定されたスリム管からなる蛍光灯７ａと、この蛍光灯７ａの下方に配置された照明カバー７ｂ等を有している。この時、照明カバー７ｂは、半透明なアクリル板等により可撓性を有して所定量変形可能に形成され、図４及び図５に示すように、その後端部と左右の端部が背板５ａと側板５ｂに設けた溝９ａ、９ｂに挿入係止されて、蛍光灯７ａの照明光が図４の矢印イの如くミラーキャビネット５の下端開口部から下方に透過するように構成されている。
【００１５】
また、背板５ａと側板５ｂに形成される溝９ａ、９ｂは平面視で略扁平コ字状に形成され、この外周線を結ぶ大きさが、照明カバー７ｂの大きさに対して若干大きくなるように形成されて、照明カバー７ｂの後端部と左右端部が各溝９ａ、９ｂ内に挿入係止されるようになっている。また、溝９ａ、９ｂの幅寸法は、照明カバー７ａの板厚より若干大きくなるように設定されている。そして、側板５ｂの溝９ｂの開口端には、エッジ部材としての例えば厚さ０．５ｍｍ程度の樹脂板からなる木端エッジ１０が接着等により固定されており、この木端エッジ１０により溝９ｂの開口端が閉塞されて照明カバー７ｂの前方への移動（抜け）が防止されるようになっている。
【００１６】
また、前記上部照明装置８は、図４に示すように、スリム管からなる蛍光灯８ａと、この蛍光灯８ａの前方及び上方を覆うように、ミラーキャビネット５の上端部に例えばねじ固定された照明カバー８ｂ等を有している。そして、この上部照明装置８の蛍光灯８ａの照明光が、図４の矢印ロの如く照明カバー８ｂの前方から上方に向けて透過するように構成されている。
【００１７】
前記ミラー６は、図５に示すように、その裏面に合板１１が積層状態とされて、外周縁が合板１１と共に断面略コ字状のアルミ枠１２に嵌合固定されている。そして、このミラー６は、図３に示すように、その左端部がヒンジ１３によりミラーキャビネット５に開閉可能に取り付けられて、設置時やメンテナンス時等に開放されると共に、その右端部裏面がミラーキャビネットにキャッチ１４で係止されることにより、ミラー６でミラーキャビネット５の前面開口部が閉塞された使用状態に設定されるようになっている。このミラー６の使用状態において、アルミ枠１２の後面が前記木端エッジ１０の前面に当接するようになっている。
【００１８】
なお、ミラーキャビネット５の側板５ｂには、操作スイッチ１５や電源コンセント１６が配置されている。また、ミラーユニット１と共に設置される前記洗面台２は、図１及び図２に示すように、正面視Ｔ字形状に形成されてその前面に複数の扉１８が設けられた洗面台キャビネット１７と、このキャビネット１７の上面に配置された前記カウンター３等により形成され、カウンター３の所定位置には水栓器具１９等が取り付けられている。
【００１９】
このように構成されたミラーユニット１は、製造現場で下部照明装置７や上部照明装置８及びミラー６がミラーキャビネット５に取り付けられた状態で、洗面台２とは別体で設置現場に運搬搬入される。この時、製造現場における下部照明装置７の照明カバー７ｂのミラーキャビネット５への取り付けは、照明カバー７ｂの可撓性を利用して変形させながら、該カバー７ｂの大きさより所定寸法大きい平面視略コ字状の溝９ａ、９ｂ内に押し込むことによって取り付けられる。これにより、照明カバー７ｂの外周３辺が各溝９ａ、９ｂに挿入係止されると共に、側板５ｂの前端面に固着された木端エッジ１０により照明カバー７ｂの前方への移動が規制された状態となっている。
【００２０】
また、ミラーユニット１の運搬搬入時にミラーユニット１に振動や衝撃が加わっても、照明カバー７ｂの移動が木端エッジ１０で規制されていることから、照明カバー７ｂが溝９ａ、９ｂから外れることがなく、取付状態（溝９ａ、９ｂへの挿入係止状態）のまま、施工現場で設置される。そして、ミラーユニット１の設置後に、該ミラーユニット１近傍で風等が吹いても、照明カバー７ｂが振動して異音が発生することもなく、安定した取付状態が得られることになる。
【００２１】
このように、上記実施形態のミラーユニット１にあっては、ミーキャビネット５の下部照明装置７近傍の背板５ａと側板５ｂに溝９ａ、９ｂをそれぞれ形成し、この溝９ａ、９ｂに照明カバー７ｂを挿入係止して蛍光灯７ａの照明光を下方に透過させるため、溝９ａ、９ｂによって照明カバー７ｂをミラーキャビネット５の下端開口部に安定して配置することができ、ミラーユニット１を設置した後の照明カバー７ａの振動による異音の発生や運搬搬入時の照明カバー７ｂの抜け等による破損を防止することができる。
【００２２】
特に、側板５ｂの溝９ｂの開口端が木端エッジ１０によって閉塞されていることから、この木端エッジ１０により照明カバー７ｂの前方への移動を阻止して外れ等を確実に防止することができると共に、溝９ａ、９ｂがミラーキャビネット５の背板５ａと左右の側板５ｂにそれぞれ形成されて平面視略扁平コ字状を呈するため、照明カバー７ｂの外周３辺を溝９ａ、９ｂにそれぞれ挿入係止できて、照明カバー７ｂの配置状態を一層安定させることができる。
【００２３】
また、照明カバー７ｂ自体が可撓性を有しその外形寸法及び板厚が溝９ａ、９ｂと所定の形態に設定されているため、照明カバー７ｂの可撓性を利用して溝９ａ、９ｂへの挿入係止作業を簡単かつ良好に行うことができて、製造現場での照明カバー７ｂの取付作業（ミラーユニット１の組立作業）等を効率的に行うことができる。
【００２４】
さらに、下部照明装置７がミラーキャビネット５の下部に取り付けられ、その照明カバー７ｂがミラーキャビネット５の下端開口部に取り付けられて蛍光灯７ａの照明を下方に透過させるため、下部照明装置７の照明光をミラーキャビネット５の下端開口部から下方に透過できて、ミラーユニット１の下方に配置される洗面台２の水栓器具１９等を良好に照明することができる。また、照明カバー７ｂの取り付けに従来のような金具が不要となるため、照明カバー７ｂの大きさに制約を受け易いミラーユニット１において、照明カバー７ｂの採光面積を広くすることができると共に、デザイン的にもすっきりした納まりにまとめることができる。
【００２５】
さらにまた、ミラーユニット１が洗面台２と分割状態とされて洗面台２の上方の壁面４に所定の間隔を有して設置されているため、分割型の洗面化粧台を容易に形成できて、テザイン的に斬新な洗面化粧台を得ることができると共に、ミラーユニット１と各種洗面台の組み合わせバリエーションを容易に増やすことができたり、設置の汎用性を高めることができる。また、ミラー６がミラーキャビネット５の前面開口部に開閉可能に配置されているため、ミラー６を開放することによりミラーユニット１の設置や蛍光灯７ｂ、８ｂの交換、照明カバー７ｂの内面清掃等のメンテナンス作業を容易に行うことができる等、ミラーユニット１の使い勝手を一層向上させることができる。
【００２６】
なお、上記実施形態においては、ミラーキャビネット５に設けられる溝を背板５ａと側板５ｂに設けることにより、平明視で略コ字状に形成したが、溝を左右の側板５ｂのみに設ける構成として良い。また、上記実施形態においては、下部照明装置７と上部照明装置８の照明灯として、スリム管からなる蛍光灯７ａ、８ａを使用したが、例えば通常の蛍光灯や白熱球等の照明灯を使用することもできる。さらに、上記実施形態においては、ミラー６が正面視で長方形状である場合について説明したが、例えば円形や楕円形状、六角形状等の各種形状のミラーを使用することもでき、これらのミラーの形状に合わせてミラーキャビネット５の形状も適宜に変更することができる。
【産業上の利用可能性】
【００２７】
本発明は、洗面台と分割状態で設置されるミラーユニットに限らず、例えば洗面台の上方に所定の間隔を有して一体的に設置されるミラーユニットや、洗面台とは関係なく単独で設置されるミラーユニットにも利用できる。
【図面の簡単な説明】
【００２８】
【図１】本発明に係わる照明カバー取付構造を採用したミラーユニットの設置状態の正面図
【図２】同その側面図
【図３】同ミラーユニットの正面図
【図４】同その側面図
【図５】同その横断面図
【符号の説明】
【００２９】
１・・・ミラーユニット、２・・・洗面台、３・・・カウンター、４・・・壁面、５・・・ミラーキャビネット、５ａ・・・背板、５ｂ・・・側板、５ｃ・・・底板、６・・・ミラー、７・・・下部照明装置、７ａ・・・蛍光灯、７ｂ・・・照明カバー、８・・・上部照明装置、９ａ、９ｂ・・・溝、１０・・・木端エッジ、１１・・・合板、１２・・・アルミ枠、１３・・・ヒンジ、１４・・・キャッチ、１５・・・操作スイッチ、１６・・・電源コンセント、１７・・・洗面台キャビネット、１９・・・水栓器具。
【図１】
2007296041.tif 000003
【図２】
2007296041.tif 000004
【図３】
2007296041.tif 000005
【図４】
2007296041.tif 000006
【図５】
2007296041.tif 000007